(57)【特許請求の範囲】
【請求項１】
パルス列により閃光発光管の発光電流をスイッチング制御することによりフラット発光可能なストロボ装置を有するカメラにおいて、
シャッタスピードに基づいて、少なくとも上記パルス列の周期を決定する決定手段と、
撮影フィルムの種類をラチチュードに基づいて判別する判別手段と、
上記判別手段の出力に基づいて、ラチチュードが小さい程、パルス列の周波数を高くするように制御するパルス列変更手段と、
を具備したことを特徴とするカメラ。
【請求項２】
パルス列により閃光発光管の発光電流をスイッチング制御することによりフラット発光可能なストロボ装置を有するカメラにおいて、
シャッタスピードに基づいて、少なくとも上記パルス列の周期を決定する決定手段と、
上記閃光発光管を発光させるメインコンデンサの電圧を判別する判別手段と、
上記判別手段の出力に基づいて、メインコンデンサ電圧が所定値より低い時はパルス列の周波数を低くするように制御するパルス列変更手段と、
を具備したことを特徴とするカメラ。
【発明の詳細な説明】
【０００１】
【発明の属する技術分野】
本発明は、例えば撮影時に被写体を閃光発光するためのストロボ装置を有するカメラに関するものである。
【０００２】
【従来の技術】
従来、例えばカメラ等の撮像装置では、暗い所でも良好な撮影を行うために被写体に光を投射するストロボ装置が採用されている。そして、特にストロボ装置を採用した一眼レフレックスカメラでは、スリット露光による露光ムラの問題を解決するために種々の技術が開示されている。
【０００３】
そして、例えば特開昭６１−０２７５３０号公報では、フラット発光を行うストロボとフォーカルプレーンシャッタを有するカメラとの制御において、シャッタ秒時に応じてフラット発光のパルス光の周期を変える事で、フィルム面に当る露光量を一定になるように、また、スリット露光による露出ムラを目立たなくするようにする技術が開示されている。これは、米国特許第４９５１０８１号に記載された技術とも同様である。
【０００４】
【発明が解決しようとする課題】
しかしながら、前述した従来技術では、ｍシャッタスピードに応じてフラット発光の周期やデューティを変えるようにした場合、使用されるフィルムの種類が変わってしまうと、そのままの周期やデューティではスリット露光時の露出ムラが目立ってしまうといった欠点があった。
【０００５】
また、使用される発光管の種類やトリミングの有無やメインコンデンサの電圧が変わってしまうと、フラット発光が必要とされる時間持続して光る事ができなくなり、発光が途中で終わってしまうという欠点があった。
【０００６】
本発明は、上記問題に鑑みてなされたもので、その目的とするところは、フィルムの種類やトリミングの有無やメインコンデンサの電圧が変わったとしてもスリット露光時の露出ムラがなく、またフラット発光が途中でとぎれてしまうような事を防止することにある。
【０００７】
【課題を解決するための手段】
上記目的を達成するために、本発明の第１の態様によるカメラは、パルス列により閃光発光管の発光電流をスイッチング制御することによりフラット発光可能なストロボ装置を有するカメラにおいて、シャッタスピードに基づいて、少なくとも上記パルス列の周期を決定する決定手段と、撮影フィルムの種類をラチチュードに基づいて判別する判別手段と、上記判別手段の出力に基づいて、ラチチュードが小さい程、パルス列の周波数を高くするように制御するパルス列変更手段とを具備したことを特徴とする。
【０００８】
そして、第２の態様によるカメラは、パルス列により閃光発光管の発光電流をスイッチング制御することによりフラット発光可能なストロボ装置を有するカメラにおいて、シャッタスピードに基づいて、少なくとも上記パルス列の周期を決定する決定手段と、上記閃光発光管を発光させるメインコンデンサの電圧を判別する判別手段と、上記判別手段の出力に基づいて、メインコンデンサ電圧が所定値より低い時はパルス列の周波数を低くするように制御するパルス列変更手段とを具備したことを特徴とする。
【００１０】
即ち、本発明の第１の態様によるカメラでは、決定手段により、シャッタスピードに基づいて少なくとも上記パルス列の周期が決定され、判別手段により撮影フィルムの種類がラチチュードに基づいて判別され、パルス列変更手段により、上記判別手段の出力に基づいて、ラチチュードが小さい程、パルス列の周波数を高くするように制御される。
【００１１】
そして、第２の態様によるカメラでは、決定手段により、シャッタスピードに基づいて少なくとも上記パルス列の周期が決定され、判別手段により上記閃光発光管を発光させるメインコンデンサの電圧が判別され、パルス列変更手段により、上記判別手段の出力に基づいて、メインコンデンサ電圧が所定値より低い時はパルス列の周波数を低くするように制御される。
【００１３】
【実施の形態】
以下、図面を参照して、本発明の実施の形態について説明する。
図１には本発明のストロボ装置を採用したカメラの構成を示し説明する。
同図に示されるように、コントロール部９の出力は発光制御部３及びストロボ回路２を介して発光部１の入力に接続され、発光管判別部４を介して発光部１に接続され、フィルムタイプ判別部７を介してフィルム１３に接続され、絞り制御部５を介して絞り１１に接続され、シャッタ制御部６を介してシャッタ１２に接続され、更にトリミング検出部８にも接続されている。
【００１４】
このような構成において、発光管判別部４により、発光管のアーク長や管径、ガス圧等で異なる発光管のタイプが判別され、複数の発光管を持つストロボでは、どの発光管が使用されるかのかが判別される。フィルムタイプ判別部７によりフィルム感度やネガかリバーサルか、画面サイズ等のフィルムのタイプが判別される。さらに、トリミング検出部８によりトリミング状態が検出される。
【００１５】
これらの情報に基づいて、上記コントロール部９による制御の下で、発光制御部３により、赤目軽減発光やＧＮＯ制御、フラット発光等のうち所望とするストロボ発光をすべくストロボ回路２が制御され、当該ストロボ回路２により発光部１の発光が制御される。さらに、コントロール部９の制御に基づいて、絞り制御部５により絞り１１が制御され、シャッタ制御部６によりシャッタ１２の開閉が制御される。
【００１６】
次に図２には実施の形態に係るストロボ装置の構成を示し説明する。
同図に於いて、符号２１はＣＰＵであり、このＣＰＵ２１には、電源電池Ｅ１  、メインコンデンサＣ５  の他、電源フィルタ回路２２、ストロボの昇圧電源回路２３、メインコンデンサＣ５  の充電電圧を検出する電圧検出回路２４、トリガ回路２５、閃光放電管（Ｘｅ管）２６及びダイオードＤ５  、ゲート制御型スイッチング素子としてのＩＧＢＴ２７の直列回路が並列に接続されている。
【００１７】
上記電源フィルタ回路２２は、電源電池Ｅ１  と並列に接続されたコンデンサＣ１  と、このコンデンサＣ１  のプラス極側と電源電池Ｅ１  のプラス側との間に接続されたダイオードＤ１  とで構成される。
【００１８】
上記ストロボ昇圧電源回路２３は、抵抗Ｒ１  及びＲ２  の直列回路と、電源電池Ｅ１  と並列に接続されたトランジスタＱ１  ，Ｑ２  及び抵抗Ｒ４  と、並列接続されたダイオードＤ２  、コンデンサＣ２  、及びトランスＴ１  と、このトランスＴ１  の一次側に接続されたトランジスタＱ３  と、このトランジスタＱ３  と抵抗Ｒ４  間に接続された抵抗Ｒ３  と、上記トランスＴ１  の二次側に接続された抵抗Ｒ５  及びダイオードＤ３  とにより、図示のように構成されている。
【００１９】
上記電圧検出回路２４は、抵抗Ｒ６  及びＲ７  の直列回路と、この直列回路と並列に接続されたコンデンサＣ４  と、このコンデンサＣ４  とメインコンデンサＣ５  との間に接続されたダイオードＤ４  とで構成される。更に、トリガ回路２５は、抵抗Ｒ８  ，Ｒ９  及びＲ１０、サイリスタＳＣＲ１  と、コンデンサＣ６  及びＣ７  、抵抗Ｒ１１、トリガトランスＴ２  が図示の如く結線されている。このトリガトランスＴ２  は、閃光放電管２６にトリガを引加するものである。
【００２０】
そして、ＩＧＢＴ２７は、閃光放電管２６及びダイオードＤ５  と直列に接続されている。このＩＧＢＴ２７は、この閃光放電管２６の発光電流をスイッチングして発光量の制御を行うもので、ＣＰＵ２１からの信号ＳＣＯＮＴの状態に応じて動作する。また、ＣＰＵ２１には、パワースイッチＳＷ１、レリーズスイッチＳＷ２が接続されている。
【００２１】
このＣＰＵ２１からは、ＩＧＢＴ２７に供給される信号ＳＣＯＮＴの他、昇圧電源回路２３には信号ＣＨＧが、電圧検出回路２４には信号ＶＳＴが、トリガ回路２５には信号ＳＴＲＧが、それぞれ供給されるようになっている。更に、このＣＰＵ２１は、ストロボ回路を制御するものであり、ＣＰＵ２１の電源ＶＤＤは電源電池Ｅ１  より電源フィルタ回路２２を介して供給される。
【００２２】
ここで、回路の動作の説明に先立ち上記ＩＧＢＴ２７について説明する。
図３はＩＧＢＴ２７の一般的な断面構造図である。同図に示されるように、コレクタ電極３１の上側にＰ層３２、Ｎ層３３が順に形成されている。そして、上記Ｎ層３３の表面には、Ｐ層３２より不純物濃度の低いＰ層３４、及びＮ層３３より不純物濃度の高いＮ層３５が形成される。上記Ｎ層３３とＮ層３５とに挟まれたＰ層３４の表面がチャネル領域となる。このチャネルの領域上には、ゲート酸化膜３６を介してゲート電極３７が形成される。また、このゲート電極３７の上には、絶縁膜３８を介してエミッタ電極３９が形成される。
【００２３】
このように構成されたＩＧＢＴ２７に於いて、ゲート電極３７に、エミッタに対して正の電圧を与えると、上述のチャネルが形成され、コレクタ−エミッタ間に電流が流れる。このゲート電圧は、通常１０Ｖ〜４０Ｖ程度の電圧が必要であるが、ゲート酸化膜３６の薄膜化や微細化設計ルールを採用することで、ゲート電圧が４Ｖでも十分なコレクタ−エミッタ間の電流を流すことができるＩＧＢＴ２７を製作することが可能である。本実施の形態は、この低電圧ゲートドライブＩＧＢＴを用いたストロボ装置について述べたものである。
【００２４】
次に図４のタイミングチャートを参照して、このストロボ装置の基本的な動作を説明する。信号ＣＨＧをローレベルにすると（図４（ａ）参照）、ストロボ昇圧電源回路２３が作動し、昇圧された電圧がメインコンデンサＣ５  に充電される（図４（ｂ）参照）。この充電電圧は電圧検出回路２４によってモニタされ、所定充電電圧に達したら（図４（ｃ）参照）、信号ＣＨＧをハイレベルにして昇圧動作を止める。
【００２５】
次いで、発光であるが、発光開始信号に先立ち、ＩＧＢＴ２７をオンにしておくために、信号ＳＣＯＮＴをハイレベルにする（図４（ｄ）参照）。その後、発光開始信号に応答して、信号ＳＴＲＧがハイレベルになって（図４（ｅ）参照）、サイリスタＳＣＲ１  がオンし、トリガ回路２５によって閃光放電管２６は励起され発光を開始する（図４（ｆ）参照）。その後、発光中に信号ＳＣＯＮＴをローレベルにすると、ＩＧＢＴ２７はオフして発光は停止する。
【００２６】
図５には上記ＣＰＵ２１内部の端子ＣＯＮＴの出力部の回路の構成を示し説明する。この出力部は、ＮＡＮＤ回路４０、ＮＯＲ回路４１、インバータ４２、Ｐチャンネル（Ｐ−ｃｈ）トランジスタ４３及びｎチャンネル（Ｎ−ｃｈ）トランジスタ４４で構成されており、これら構成様子が図示の如く接続されている。そして、トランジスタ４３のオン、トランジスタ４４のオフで、端子ＣＯＮＴにはＶＤＤの電圧が出力される。
【００２７】
また、トランジスタ４３がオフ、トランジスタ４４がオンの場合には、グランドレベルの電圧が出力される。ここで、ＶＤＤは電源Ｅ１  を６Ｖの電池とした場合には、ダイオードＤ１  のＶＦ  分だけ下って約５．５Ｖとなる。また、その時、端子ＣＯＮＴに出力されるハイレベルの電圧は、トランジスタ４３の電圧降下があるので約５．３Ｖである。上記ＩＧＢＴ２７は、上述した低電圧ドライブＩＧＢＴを使用しているため、この５．３Ｖの電圧でも十分にＩＧＢＴ２７をＯＮにすることができる。
【００２８】
なお、上述した発光開始信号前のＩＧＢＴ２７のオン、即ち信号ＳＣＯＮＴのハイレベルのタイミングは、信号ＳＴＲＧが入る前であればいつでもよく、カメラのパワーオン時でもよいし、低輝度時等ストロボが必要だと判断された時でもよい。更にはレリーズが押された時、ＳＬＲに於いてはミラーアップ時等であってもよい。
【００２９】
図６には上記ストロボ装置の別の構成例を示し説明する。尚、図２と同一の構成要素には同一符号を付して説明を省略する。
図２と異なるのは、ＩＧＢＴ２７のゲートへの電圧印加をバッファＵ１を介して行っている点である。この構成では、このようにバッファＵ１を介しているためにＩＧＢＴ２７へのゲートドライブ電流が増え、ＩＧＢＴ２７を高速でオン／オフ制御できるようになる。
【００３０】
以下、図７（ａ）乃至（ｇ）のタイミングチャートを参照して、動作の説明を行う。尚、図７（ｇ）は、図７（ｄ）の信号ＳＣＯＮＴの時間ｔ２  で表されている部分を拡大して示したものである。
【００３１】
信号ＣＨＧをローレベルにすると、ストロボ昇圧電源回路２３が作動し、昇圧された電圧がメインコンデンサＣ５  に充電される。この充電電圧は電圧検出回路２４によりモニタされ、所定充電電圧に達したら信号ＣＨＧをハイレベルにし昇圧動作を止める。次に発光であるが、発光開始信号に応答して、信号ＳＴＲＧとＳＣＯＮＴをハイレベルにすると、ＩＧＢＴ２７がオンと同時に、閃光放電管２６がトリガ回路２５により励起されて発光を開始する。
【００３２】
そして、信号ＳＣＯＮＴは、非常に速い周期でハイ／ローレベルのパルス列を出力する。ＩＧＢＴ２７は、これに同期してオン／オフを繰返す。閃光放電管２６は、一旦励起状態にあれば、トリガ回路２５より再度トリガをかけなくてもＩＧＢＴ２７のオン／オフで小発光を繰返すことができ、略フラットな発光を実現することができる。このフラットな発光を使用してフォーカルプレンシャッタを用いたカメラでは、スリット露光時にもストロボが使用可能となり、高速ストロボ同調を実現することができる。
【００３３】
以下、図８のフローチャートを参照して、第１の実施の形態に係るストロボ装置を採用したカメラの動作を説明する。
動作を開始すると、フィルムタイプ判別部７がフィルムタイプがネガフィルムかリバーサルフィルムかを判別し（ステップＳ１）、次いで、トリミング検出部８がフィルム露光面にトリミングをかけるトリミング状態かノーマル状態かを検出し（ステップＳ２）、コントロール部９が１ｓｔレリーズスイッチがＯＮされたかどうかの検出を行う（ステップＳ３）。ここで、１ｓｔレリーズがＯＮされていなければ上記ステップＳ１へ戻り、ＯＮされていれば測距（ステップＳ４）、測光（ステップＳ５）を行い、コントロール部９は絞り値ＡＶとシャッタースピードＴＶを算出する（ステップＳ６）。
【００３４】
続いて、メインコンデンサの電圧ＶＭＣを検出し（ステップＳ７）、次にＧＮｏを算出する（ステップＳ８）。このＧＮｏは、閃光発光の時はステップＳ４，Ｓ６で求めた被写体距離とＡＶから算出し、フラット発光の時は被写体距離とＡＶ、ＴＶから算出する。また、フラット発光の場合は、ここでフラット発光の周波数やデューティを演算又はテーブル参照より求めておく。
【００３５】
次いで、複数の発光管を有するストロボの場合はどの発光管を使用するかを判別し（ステップＳ９）、上記ステップＳ１〜Ｓ９の間で得られた情報を基に発光を許可できるメインコンデンサ電圧を設定する為のサブルーチンである“発光許可電圧設定処理”をコールする
ここで、図１１を参照して、サブルーチン“発光許可電圧設定処理”のシーケンスを説明する。発光を許可できるメインコンデンサ電圧であるＶＥ  を所定の電圧ＶＴＨに設定する（ステップＳ２１）。次いで、フラット発光の場合は（ステップＳ２２）、通常の閃光発光に較べて、長時間発光を持続させる為に、更にフォーカルプレーンシャッタの場合は先幕及後幕によって遮られフィルム面に届かないストロボ光のロスが発生するので通常の閃光発光より発光の許可電圧を上げる為にＶＥ  を所定量Ｖ１  加算する（ステップＳ２３）。
【００３６】
次いで、上記ステップＳ１で判別したネガフィルム、リバーサルフィルムの判別結果に基づいて（ステップＳ２４）、リバーサルフィルムの場合は、ＶＥ  を所定量Ｖ２  加算する（ステップＳ２５）。ネガフィルムの場合、フィルムラチチュードが広い為、メインＣ電圧が低く、フラット発光強度が所定値よりも若干低くても写した写真としては大きな問題とならない。また、フラット発光は微小なパルス光を繰り返す事で実現しているが、フォーカルプレーンシャッタでのスリット露光で、スリット間に入射するパルス数が少ないと写真としてムラとなる所謂露出ムラが発生する。よって、リバーサルではネガに比べてムラが目立つ為ＶＥ  を所定量高めに設定しておき、その分フラット発光の単位時間当りのパルス光数を多くしてやる事で当該露出ムラを解消することができる。
【００３７】
続いて、上記ステップＳ９で判別した発光管のタイプに基づいて（ステップＳ２６）、所定の発光管である場合にはＶＥ  に所定量Ｖ３  を加算する（ステップＳ２７）。発光管のタイプ、つまり発光管のガラス内径やアーク長、封入ガスのガス圧によって発光管のインピーダンスが変るので、発光管によって同じメインコンデンサを使用してもフラット発光を持続できる時間が異なる。よって、ガラス内径が大きい程、また、アーク長が短い程、封入ガス圧が低い程、ＶＥ  を高く設定しておけば、フラット発光を長く持続する事ができる。
【００３８】
次いで、上記ステップＳ２で検出したトリミング状態により（ステップＳ２８）、トリミングが指定されている場合にはＶＥ  より所定量Ｖ４  を減算する（ステップＳ２９）。トリミング、例えばパノラマ時には、アパーチャの上下をマスクする為に、縦走りのフォーカルプレーンシャッタの場合はフラット発光の持続時間を短くしても良い事になる。
【００３９】
続いて、上記ステップＳ６で求められたフラット発光時のシャッタスピードＴＶを所定値ＴＶＡ  と比較する（ステップＳ３０）。ここで、ＴＶがＴＶＡ  以上である時、つまり所定値より高速シャッタの時には低速シャッタの時と較べてスリット露光の露出ムラが出やすい。よって、ＶＥ  に所定量Ｖ５  を加算して（ステップＳ３１）、その分だけフラット発光の単位時間当りのパルス光数を多くしてやる事で、この露出ムラを救う事ができる。
【００４０】
このようにステップＳ２１〜Ｓ３１で決定されたＶＥ  と現在のメインコンデンサ電圧であるＶＭＣとを比較し（ステップＳ３２）、ＶＭＣがＶＥ  未満の時は、レリーズロック処理を行う為のフラグＦＧを１にしておく（ステップＳ３３）。そして、メインルーチン（図８のステップ１１以降の処理）にリターンする。
【００４１】
こうしてメインルーチンに戻ると、２ｎｄレリーズスイッチがＯＮされたかどうかを判別する（ステップＳ１１）。ここで、２ｎｄレリーズスイッチがＯＮされていなければ１ｓｔレリーズスイッチはＯＮ中なのか、１ｓｔレリーズスイッチもＯＦＦされているのかを検出する為に１ｓｔレリーズがＯＮかの判別をする（ステップＳ１２）。ここで、１ｓｔレリーズスイッチがＯＮされていれば、ステップＳ１１に戻り、ステップＳ１１，Ｓ１２の間で、セカンドレリーズのＯＮを持つ。
【００４２】
上記ステップＳ１２で１ｓｔレリーズスイッチがＯＮされていなけれは再度ステップＳ１に戻る。上記ステップＳ１１で２ｎｄレリーズスイッチがＯＮされていればレリーズロックフラグＦＧが１かどうか判別する（Ｓ１３）。ここで、ＦＧ＝１であればレリーズロック処理を行い（ステップＳ１４）、次にセカンドレリーズがＯＮかどうかの判別をし（ステップＳ１５）、ＯＮであればステップＳ１４に戻りレリーズロック処理を続けるが、ステップＳ１５でセカンドレリーズがＯＦＦされていればステップＳ１２に行く。
【００４３】
ステップＳ１３でＦＧ＝０、即ちレリーズロックでない時はシャッタを開き（ステップＳ１６）、ストロボを決定された発光量、発光パターンで発光させ（ステップＳ１７）、シャッタを閉じる（ステップＳ１８）。
【００４４】
上記ステップＳ１６〜Ｓ１８において、フォーカルプレーンシャッタの場合でフラット発光時は、先幕がスタートと同時又は少なくとも先幕がアパーチャ内に頭を出すまでには発光を開始し少なくとも後幕がアパーチャ内を走り終るまでの間はフラット発光を持続しており、閃光発光の場合は、シャッタ先幕、後幕が全開時に発光する。以上で、一連のストロボ露光シーケンスを終了する。
【００４５】
なお、上記ステップＳ１でフィルムタイプとしてネガかリバーサルかの判別を行っているが、フィムタイプの判別としてはこれに限らず、例えばＩＳＯ感度やフィルムのサイズやラチチュード情報であっても良い。
【００４６】
また、ステップＳ９で複数の発光管の内どの発光管を使用するかの判別を行っているが、カメラ内に複数の発光管を持つ物に限るわけではなく、例えば内蔵ストロボと外付ストロボの判別を行う物や、外付ストロボで多灯する場合どのストロボを使用するかの判別を行う物であっても良い。
【００４７】
次に、第２の実施の形態に係るストロボ装置を採用したカメラについて説明する。この実施の形態では、フラット発光を行う前に得られた各情報に応じてシャッタスピードに制限をかける。尚、システムの構成は、発光許可電圧を変更する例と同じであるのでここでは説明を省略する。
【００４８】
以下、図９のフローチャートを参照して動作を説明する。なお、ステップＳ１〜Ｓ９に関しては発光許可電圧を変更する例と同じであるので、同一ステップ番号を付し説明は省略する。
【００４９】
ステップＳ１９では、上記ステップＳ１〜Ｓ９の間で得られた情報を基にフラット発光を行う場合の最速シャッタースピードに制限をかける為のサブルーチン“シャッタスピード制限処理”をコールする。
【００５０】
ここで、図１２を参照して、サブルーチン“シャッタスピード制限処理”のシーケンスを説明する。このシーケンスに入ると、フラット発光かどうかの判別を行い（ステップＳ３４）、フラット発光でない場合は、そのまま特別に処理は行わずリターンする。フラット発光の場合は、フラット発光で露出ムラなく露光でき最速のシャッタスピードであるＴＶＭＡＸ  をＴＶＥ  に設定しておく。このＴＶＭＡＸ  は、通常、ストロボとは無関係にカメラで制御できる最速のシャッタスピードに設定される事が望ましいが、それ以下の所定のシャッタスピードであってもよいことは勿論である。
【００５１】
次いでステップＳ１で判別したネガフィルム、リバーサルフィルムの判別結果より（ステップＳ３６）、リバーサルフィルムの場合はＴＶＥ  を所定量ＴＶ１  だけ減算しておく（ステップＳ３７）。第１実施例で説明したように、フラット発光においてリバーサルはネガに較べてスリット露光時の露出ムラが目立ちやすい為、リバーサルの時は露出ムラがより目立ちやすい高速秒時でのフラット発光が行われないようにシャッタスピードの最速秒時を制限する事でこの露出ムラを救う事ができる。
【００５２】
続いて、上記ステップＳ９で判別した発光管のタイプに基づいて（ステップＳ３８）、所定の発光管である場合には、ＴＶＥ  を所定量ＴＶ２  だけ減算する（ステップＳ３９）。前述したように、Ｘｅ管のインピーダンスによってフラット発光を持続できる時間が異なる。よって、Ｘｅ管のインピーダンスが、小さい程制御可能なシャッタスピードを低くしておけば、その分だけフラットの発光パルス光間隔をのばす事で露出ムラなく、且つフラット発光時間を長く持続できる。
【００５３】
次いで、上記ステップＳ２で検出したトリミング状態により（ステップＳ４０）、トリミングが指定されている場合にはＴＶＥ  に所定量ＴＶ３  を加算する（ステップＳ４１）。トリミングで、例えばパノラマ時にはアパーチャの上下をマスクする為に、縦走りのフォーカルプレーンシャッタでは、フラット発光の持続時間を短くしても良い事になる。
【００５４】
続いて、上記ステップＳ７で検出されたメインコンデンサ電圧ＶＭＣと所定値ＶＭＣＡ  を比較する（ステップＳ４２）。ここで、ＶＭＣがＶＭＣＡ  未満の時はＴＶＥ  を所定値ＴＶ４  減算する（ステップＳ４３）。
【００５５】
次に、ステップＳ６で算出したＴＶとＴＶＥ  を比較する（ステップＳ４４）。ここで、ＴＶがＴＶＥ  以下であったらそのままリターンし、ＴＶがＴＶＥ  を越えている場合には、ＴＶをＴＶＥ  のシャッタスピードに制限し（ステップＳ４５）、リターンする。
【００５６】
次に、メインルーチンでは、ステップＳ１１で２ｎｄレリーズの検出を行い、１ｓｔレリーズもＯＮされている時はステップＳ１へ戻る。１ｓｔレリーズがＯＮされているときは、上記ステップＳ１１へ戻る。このステップＳ１１で２ｎｄレリーズがＯＮされると、ＴＶ値に応じてシャッタ開き（ステップＳ１６）、ストロボ発光し（ステップＳ１７）、シャッタを閉じ（ステップＳ１８）、ストロボによる露光を行い動作を終了する。
【００５７】
次に、第３の実施の形態に係るストロボ装置を採用したカメラについて説明する。この実施の形態では、フラット発光を行う前に得られた各情報に応じてフラット発光の周波数を変更する。尚、システムの構成は、発光許可電圧を変更する例と同じであるので、ここでは説明は省略する。
【００５８】
以下、図１０のフローチャートを参照して動作を説明する。なお、ステップＳ１〜Ｓ９及びＳ１１〜Ｓ１８に関しては第１実施例と同じであるので同じステップ番号を付記して説明は省略する。
【００５９】
ステップＳ２０では、上記ステップＳ１〜Ｓ９の間で得られた情報を基にフラット発光のパルス光周波数を設定する為のサブルーチン“フラット周波数設定処理”をコールする。
【００６０】
ここで、図１３を参照して、サブルーチン“フラット周波数設定処理”のシーケンスを説明する。このシーケンスに入ると、先ずフラット発光かどうかの判別を行い（ステップＳ５１）、フラット発光でない場合は、特別な処理は行うことなくリターンする。フラット発光の場合は、所定のフラット発光のパルス光周波数ＦＡ  をＦＥ  に設定しておく（ステップＳ５２）。
【００６１】
次いで、上記ステップＳ１で判別したネガフィルム、リバーサルフィルムの結果より（ステップＳ５３）、リバーサルの場合はＦＥ  に所定量ＦＥ１を加算しておく（ステップＳ５４）。上記第１実施例で説明したように、フラット発光においてリバーサルはネガに較べてスリット露光時の露出ムラが目立ちやすい。よって、リバーサルの時はフラット発光のパルス光周波数を高くする事で露出ムラが目立たないようにする事ができる。
【００６２】
次に上記ステップＳ９で判別した発光管のタイプにより（ステップＳ５５）、ＦＥ  を所定量だけ減算する（ステップＳ５６）。前述したようにＸｅ管のインピーダンスによってフラット発光を持続できる時間が異なる。よって、Ｘｅ管のインピーダンスが小さい程フラット発光周波数を小さくしておけばフラット発光の持続時間を長くする事ができる。
【００６３】
次に上記ステップＳ２で検出したトリミング状態により（ステップＳ５７）、トリミングが指定されている場合には、ＦＥ  を所定量プラスする（ステップＳ５８）。トリミングで例えばパノラマ時にはアパーチャの上下をマスクする為にタテ走りのフォーカルプレーンシャッタではフラット発光の周波数を上げてフラット発光全体の持続時間を短くしても良い事になる。
【００６４】
次に上記ステップＳ７で検出されたメインコンデンサ電圧ＶＭＣと所定値ＶＭＣＢ  を比較する（ステップＳ５９）。ここで、ＶＭＣがＶＭＣＢ  未満の時はＦＥ  を所定値ＦＥ４だけ減算する（ステップＳ６０）。以上で本サブルーチンを終了しリターンする。
【００６５】
尚、本発明の上記実施態様によれば、以下のごとき構成が得られる。
（１）パルス列により閃光発光管の発光電流をスイッチング制御することによりフラット発光可能なストロボ装置を有する一眼レフレックスカメラにおいて、
シャッタスピードに基づいて、少なくとも上記パルス列の周期を決定する決定手段と、
撮影フィルムの種類を判別する判別手段と、
上記判別手段の出力に基づいて、上記決定されたパルス列の周波数または該パルス列の持続時間のうちの少なくとも一方を制御するパルス列変更手段と、
を具備したことを特徴とする一眼レフレックスカメラ。
（２）上記判別手段は、ネガフィルムかリバーサルフィルムかに基づいて判別することを特徴とする上記（１）に記載の一眼レフレックスカメラ。
（３）上記判別手段は、ＩＳＯ感度に基づいて判別する事を特徴とする上記（１）に記載の一眼レフレックスカメラ。
（４）上記判別手段は、フィルムサイズに基づいて判別する事を特徴とする上記（１）に記載の一眼レフレックスカメラ。
（５）上記判別手段は、ラチチュードに基づいて判別する事を特徴とする容器（１）に記載の一眼レフレックスカメラ。
（６）上記パルス列変更手段は、リバーサルと判別されている時の方がパルス列周波数を高くする事を特徴とする上記（２に記載の一眼レフレックスカメラ。
（７）上記パルス列変更手段は、フィルムサイズが大きい程、パルス列周波数を低くする事を特徴とする上記（４に記載の一眼レフレックスカメラ。
（８）上記パルス列変更手段は、ラチチュードが小さい程、パルス列周波数を高くすることを特徴とする上記（５）に記載の一眼レフレックスカメラ。
（９）パルス列により複数の閃光発光管の発光電流をスイッチング制御することによりフレット発光可能なストロボ装置を有する一眼レフレックスカメラにおいて、
シャッタスピードに基づいて、少なくとも上記パルス列の周期を決定する決定手段と、
上記複数の閃光発光管から所定の種類を選択する選択手段と、
上記選択手段の出力に基づいて、上記決定されたパルス列の周波数又は該パルス列の持続時間のうちの少なくとも一方を制御するパルス列変更手段と、
を具備したことを特徴とする一眼レフレックスカメラ。
（１０）パルス列により閃光発光管の発光電流をスイッチング制御することによりフラット発光可能なストロボ装置を有する一眼レフレックスカメラにおいて、
シャッタスピードに基づいて、少なくとも上記パルス列の周期を決定する決定手段と、
撮影時の撮影画面がパノラマかノーマスの大きさかを判別する判別手段と、
上記判別手段の出力に基づいて、上記決定されたパルス列の周波数または該パルス列の持続時間のうちの少なくとも一方を制御するパルス列変更手段と、
を具備したことを特徴とする一眼レフレックスカメラ。
（１１）上記パルス列変更手段は、パノラマモードと判別されている時のほうがパルス列周波数を高くすることを特徴とする上記（１０）に記載の一眼レフレックスカメラ。
（１２）パルス列により閃光発光管の発光電流をスイッチング制御することによりフラット発光可能なストロボ装置を有する一眼レフレックスカメラにおいて、
シャッタスピードに基づいて、少なくとも上記パルス列の周期を決定する決定手段と、
上記閃光発光管を発光させるメインコンデンサの電圧を判別する判別手段と、
上記判別手段の出力に基づいて、上記決定されたパルス列の周波数または該パルス列の持続時間のうちの少なくとも一方を制御するパルス列変更手段と、
を具備したことを特徴とする一眼レフレックスカメラ。
（１３）上記パルス列変更手段は、メインコンデンサ電圧が所定値より低い時はパルス列周波数を低くすることを特徴とする上記（１２）に記載の一眼レフレックスカメラ。
【００６６】
【発明の効果】
以上詳述したように、本発明によれば、フィルムの種類やトリミングの有無やメインコンデンサの電圧が変わったとしても、一眼レフレックスカメラ等によるスリット露光時の露出ムラがなく、またフラット発光が途中で中断されるような事を防止するカメラを提供することができる。
【図面の簡単な説明】
【図１】本発明のストロボ装置を採用したカメラの概念図である。
【図２】実施の形態に係るストロボ装置の構成を示す図である。
【図３】一般的なＩＧＢＴの断面構造図である。
【図４】ストロボ装置の基本的な動作を示すタイミングチャートである。
【図５】ＣＰＵ２１内部のＣＯＮＴ端子の出力部の回路の構成を示す図である。
【図６】ストロボ装置の別の構成例を示す図である。
【図７】図６の構成のストロボ装置の動作を示すタイミングチャートである。
【図８】第１の実施の形態に係るストロボ装置を採用したカメラの動作を説明するためのフローチャートである。
【図９】第２の実施の形態に係るストロボ装置を採用したカメラの動作を説明するためのフローチャートである。
【図１０】第３の実施の形態に係るストロボ装置を採用したカメラの動作を説明するためのフローチャートである。
【図１１】サブルーチン“発光許可電圧設定処理”のシーケンスを説明するためのフローチャートである。
【図１２】サブルーチン“シャッタスピード処理”のシーケンスを説明するためのフローチャートである。
【図１３】サブルーチン“フラット周波数設定処理”のシーケンスを説明するためのフローチャートである。
【符号の説明】
１…発光部、２…ストロボ回路、３…発光制御部、４…発光管制御部、５…絞り制御部、６…シャッタ制御部、７…フィルムタイプ判別部、８…トリミング検出部、９…コントロール部、１０…レンズ、１１…絞り、１２…シャッタ、１３…フィルム。
【図１】
0003587602.tif 000002
【図２】
0003587602.tif 000003
【図３】
0003587602.tif 000004
【図４】
0003587602.tif 000005
【図５】
0003587602.tif 000006
【図６】
0003587602.tif 000007
【図７】
0003587602.tif 000008
【図８】
0003587602.tif 000009
【図９】
0003587602.tif 000010
【図１０】
0003587602.tif 000011
【図１１】
0003587602.tif 000012
【図１２】
0003587602.tif 000013
【図１３】
0003587602.tif 000014